(57)【要約】【課題】フルクール時やフルホット時に、通気抵抗や騒音の増加を、より確実に防止できるスライド式ドア機構を備えた車両用空調装置を提供すること。【解決手段】  本発明に係るスライド式ドア機構を備えた車両用空調装置は、複数の空気通路を交差してスライド移動可能に配置され、前記複数の空気通路を開閉調整する板形状のスライド式ドアと、前記スライド式ドアの移動方向に沿って前記スライド式ドアに設けられた従動ギヤと、前記従動ギヤと噛み合って前記スライド式ドアを駆動する回転駆動ギヤを有する回転駆動部と、複数の前記回転駆動部の回転中心に対して偏芯した位置に連結する連結軸とを具備して構成される。【選択図】図１
2015112890.tif 000002
【特許請求の範囲】
【請求項１】
複数の空気通路が内部に形成されたケースと、
前記ケース内に、前記複数の空気通路を交差してスライド移動可能に配置され、前記複数の空気通路を開閉調整する板形状のスライド式ドアと、
前記スライド式ドアの移動方向に沿って前記スライド式ドアに設けられ、前記スライド式ドアを前記移動方向に移動させる従動ギヤと、
前記スライド式ドアの上流側で前記移動方向と交差して複数配置され、少なくともその１つは前記従動ギヤと噛み合って前記スライド式ドアを駆動する回転駆動ギヤを有する回転駆動部と、
複数の前記回転駆動部の回転中心に対して偏芯した位置に連結する連結軸と
を具備する車両用空調装置。
【請求項２】
前記スライド式ドアが、前記複数の空気通路のうちのいずれかを略閉じる位置にあるときに、前記連結軸が、前記スライド式ドアに最も近接した位置となるように設定されていることを特徴とする請求項１記載の車両用空調装置。
【請求項３】
前記スライド式ドアが、前記連結軸側の表面に、連結軸の長さに沿って掘り込み溝を有し、
前記スライド式ドアが、前記複数の空気通路のうちのいずれかを略閉じる位置にあるときに、前記連結軸が、前記スライド式ドアの前記掘り込み溝に入り込む位置となるように設定されていること
を特徴とする請求項１もしくは２記載の車両用空調装置。
【請求項４】
前記スライド式ドアが、前記複数の空気通路のうちのいずれかを略閉じる位置にあるときに、前記連結軸が、前記スライド式ドアから最も離れた位置となるように設定されていること
を特徴とする請求項１記載の車両用空調装置。
【請求項５】
前記スライド式ドアが、前記複数の空気通路のうちのいずれかを略閉じる位置にあるときに、前記連結軸が、前記回転駆動部のうちの最も風速の遅い位置となるように設定されていること
を特徴とする請求項１記載の車両用空調装置。
【請求項６】
前記連結軸を２本有し、
前記スライド式ドアが、前記複数の空気通路のうちのいずれかを略閉じる位置にあるときに、一方の連結軸は、前記スライド式ドアに最も近接した位置となるように設定され、他方の連結軸は、前記スライド式ドアから最も離れた位置／あるいは最も風速が遅い位置となるように設定されていること
を特徴とする請求項１乃至３のうち１項記載の車両用空調装置。
【請求項７】
前記連結軸は、断面形状が偏平であって、
前記スライド式ドアが、前記複数の空気通路のうちのいずれかを略閉じる位置にあるときに、前記連結軸は、前記偏平の長手方向が、前記連結軸周囲の空気の流れ方向に沿うように配置されていることを特徴とする請求項１乃至６のうちの１項記載の車両用空調装置。
【請求項８】
前記スライド式ドアの下流に配置される加熱用熱交換器を備え、
前記複数の空気通路は、前記加熱用熱交換器を通過する温風通路と前記加熱用交換器とをバイパスするバイパス通路であること
を特徴とする請求項１乃至７のうちの１項記載の車両用空調装置。
【発明の詳細な説明】
【技術分野】
【０００１】
本発明は、例えば空気通路を開閉する空気通路開閉装置およびそれを備えた車両用空調装置に係り、特にスライド式ドア機構を備えた車両用空調装置に関する。
【背景技術】
【０００２】
一般的に車両用空調装置には、車両外気又は車内気の空気流が、ブロアファンによって必要とされる流速をもった空気流として供給される。空調装置内部は、様々な空気流の通路が構成されており、その中には冷却用熱交換器や加熱用熱交換器などが配置されている。供給された空気流は、装置内部で冷却されたり加熱されたり又は混合されたりして、風速・風量等を調節され、ベント吹出し口やデフロスト吹出し口、足元などの吹出し口から車室に提供されている。車室に提供される空気流は、適度な温度、風量、風速はもちろん、供給口であるベント・足元などの吹出し口の左右に至るまで車室の快適な空気流の供給を要求される。また騒音などもできる限り抑制されることが要求される。
【０００３】
そのために、車両用空調装置内では、様々な空気流の流路が形成されており、それぞれの流路を通過しながら空気流は要求された温度、風量、流速をもつ空気流として生成され、車室への吹出し口へと導かれる仕組みである。要求される適切な混合空気流を生成するために、空調装置内は複数の空気流路が構成されており、それぞれの空気流路の分割口や分枝路には、開口の開閉を調節するための開閉弁機能が用意されている。開閉弁機能として活用されるのが回転弁やスライド式ドア機構などであり、各々は用途によって適所に選択されて使用されている。
【０００４】
スライド式ドア機構は、空気流路に対し通風方向と交差する方向にスライドするドアを備えており、車両用空調装置内での占有容積が少なく、空調装置そのもののコンパクト化に寄与することができる。
【０００５】
特許文献１及び２に開示された通風路切換装置は、曲面状又は平板形状のドア及び回転駆動部により基本的に構成されたものである。回転駆動部は、空気流路の分岐点近傍において外枠であるケースに軸支され、回転軸に円板状の駆動ギヤが所定の間隔を開けて配されている。ドアは、駆動ギヤに対応した部位に、スライド方向に沿って延びる略力線上の従動ギヤが形成されている。駆動ギヤと従動ギヤとは噛み合っており、回転軸の回動が駆動ギヤに伝達される。これにより、ドアは、回転軸に対し径方向にスライド移動する機構となっている。
【０００６】
空調装置の内部の空気は、冷却用熱交換器を通った後、加熱用熱交換器を通じて混合室に至る経路と、冷却用熱交換器を通った後、加熱用熱交換器を迂回して混合室に至る経路とを流れることができる。スライド式ドアを冷却用熱交換器と加熱用熱交換器との間に配置し、ドアを適宜移動させることで、加熱用熱交換器を流れる空気の量と、迂回する空気の量とを調節することができる。
【０００７】
加熱用熱交換器を流れる空気の量を無くし、かつ、冷却用熱交換器で空気を冷却することで、冷風のみを車室に供給することができる。これが、フルクール時（冷房のみ）の空気通流経路である。また、加熱用熱交換器を迂回する空気の量を無くすことで、温風のみを車室に供給することができる。これが、フルホット時（暖房のみ）の空気通流経路である。さらにまた、加熱用熱交換器を流れる空気の量と、加熱用熱交換器を迂回する空気の量とをいずれも無くさず、任意の割合とすることで、温度調和した空気を車室に供給することができる。これが、混合時の空気通流経路である。
【０００８】
これらのフルクール時、フルホット時又は混合時のいずれの空調構造においても、要求された温度・風速・風量の快適な空気流を、騒音の発生がなく静かな状態で車室に供給することが空調装置にとって重要なことは言うまでもない。そのためには、上記車両用空調装置内のあらゆる空気通流経路において、スムースな空気流とその空気圧を阻害する通気抵抗をなくす構造を採用することが技術課題であり、空気流を阻害して通気抵抗を生ずる物体又は構造は騒音発生の原因にもなるため、これらの課題解決のために研究開発が続けられている。
【０００９】
空気流の途中に回転軸等の棒状の物品が配置された場合、回転軸の下流側近傍では、渦巻き状の空気流が発生し、通気抵抗や騒音の増加の原因となっている。さらに、フルクール時やフルホット時には、回転軸が位置する周囲の空間に空気流が集中するため、風速及び空気圧が増し、通気抵抗や騒音が増加しやすくなるという事情がある。
【００１０】
この点、特許文献１においては、回転駆動部の形状に着目し、通気抵抗や騒音の増加を防止する技術思想が開示されている。この回転駆動部の回転軸は断面が扁平形状となるよう形成され、フルクール時およびフルホット時に、扁平形状の長手方向が空気流に沿うように設定されている。これにより回転軸は、空気流を阻害することがなく、通気抵抗や騒音の増加を防止することができるとされている。
【先行技術文献】
【特許文献】
【００１１】
【特許文献１】特開２０１１−１４８３８０号公報
【特許文献２】特開２００４−２１００３４号公報
【発明の概要】
【発明が解決しようとする課題】
【００１２】
図１２は従来例を示すもので、スライド式ドア機構を備えた従来の車両用空調装置の、フルクール時におけるスライド式ドア及び連結軸の配置を示す概略断面図である。冷却用熱交換器の下流側に加熱用熱交換器が配置され、この二つの熱交換器の間にスライド式ドア機構が配置されている。スライド式ドア機構はスライド式ドアと、これを駆動するための駆動部とを有する。駆動部は、略円形の複数の回転駆動部と、回転駆動部を連結する連結軸とを備え、回転駆動部の外周は駆動ギヤとなっている。スライド式ドアは従動ギヤを有し、駆動ギヤと嵌め合わされている。また駆動部は、スライド式ドアの上流側に配置されており、加熱用熱交換器との干渉が防止されている。
【００１３】
図１２では、スライド式ドアが可動範囲の下端に位置している。これにより、スライド式ドアの上方にある開口（第１通流開口）が開き、スライド式ドアが位置する開口（第２通流開口）は閉塞される。そして、冷却用熱交換器から流出した空気は、すべてが第１通流開口を通過し、下流側に設けられた各吹出し口へと流れる。
【００１４】
冷却用熱交換器から流出した空気のうち特に下側から流出した空気は、スライド式ドアに向かって流れつつ、流出口を求めて流れの方向を上方に向けて変更し、第１通流開口に向かって流れる。冷却用熱交換器から流出した直後の空間では、空気流の圧力は低く風速も遅いが、流れ方向が変更する空間では、圧力は高く風速も早い（図１２内の、太い矢印）。
【００１５】
このように、連結軸の配置される空間は、フルクールのとき、圧力が高く風速も早い空間となっている。連結軸の周囲や下流側近傍では空気の渦流などが発生し、通気抵抗の上昇や騒音増加の要因となっていた。
【００１６】
特許文献１においては、連結軸の断面を工夫して通気抵抗を減じることができるとしても、圧力が高く風速も早い空間に配置されているために、通気抵抗や騒音の増加の抑制効果は限定的であった。
【００１７】
特許文献２においては、連結軸の内部をトラス中空構造とし、空気流の通路にすることによって通気抵抗を減少させる技術を開示している。このトラス中空構造には、回転駆動力を伝達するための軸構造の強度を確保し、同時に空気流に対する通気抵抗を減ずるという一定の相乗効果は認められる。しかし連結軸は、圧力が高く風速も早い空間に配置されていることに変わりがなく、根本的な課題解決に至っていない。
【００１８】
本発明は、フルクール時やフルホット時に、通気抵抗や騒音の増加を、より確実に防止できるスライド式ドア機構を備えた車両用空調装置を提供することを課題とする。
【課題を解決するための手段】
【００１９】
かかる課題を解決するため、本発明に係るスライド式ドア機構を備えた車両用空調装置は、複数の空気通路が内部に形成されたケースと、前記ケース内に前記複数の空気通路を交差してスライド移動可能に配置され、前記複数の空気通路を開閉調整する板形状のスライド式ドアと、前記スライド式ドアの移動方向に沿って前記スライド式ドアに設けられ、前記スライド式ドアを前記移動方向に移動させる従動ギヤと、前記スライド式ドアの上流側で前記移動方向と交差して複数配置され、少なくともその１つは前記従動ギヤと噛み合って前記スライド式ドアを駆動する回転駆動ギヤを有する回転駆動部と、複数の前記回転駆動部の回転中心に対して偏芯した位置に連結する連結軸とを具備して構成される（請求項１）。
【００２０】
連結軸が、回転駆動部の回転中心に対して偏芯した位置とされているので、連結軸の位置を自在に変更でき、フルクール時及び／又はフルホット時、又はそれらの混合時において、連結軸を、風速及び空気圧が増した空間から遠ざけることが可能となる。
【００２１】
ここで、上記スライド式ドアが、上記複数の空気通路のうちのいずれかを略閉じる位置にあるときに、上記連結軸が、上記スライド式ドアに最も近接した位置となるように設定されているとよい（請求項２）。
【００２２】
フルクール時やフルホット時に、連結軸が空気流の途中に配置されないので、通気抵抗や騒音の増加を抑制することができる。
【００２３】
また、上記スライド式ドアが、上記連結軸側の表面に、連結軸の長さに沿って掘り込み溝を有し、上記スライド式ドアが、上記複数の空気通路のうちのいずれかを略閉じる位置にあるときに、上記連結軸が、上記スライド式ドアの上記掘り込み溝に入り込む位置となるように設定されているとよい（請求項３）。
【００２４】
フルクール時やフルホット時に、連結軸が空気流の途中に配置されないので、通気抵抗や騒音の増加を抑制することができる。
【００２５】
また、上記スライド式ドアが、上記複数の空気通路のうちのいずれかを略閉じる位置にあるときに、上記連結軸が、上記スライド式ドアから最も離れた位置となるように設定されていてもよい（請求項４）。
【００２６】
フルクール時やフルホット時に、連結軸を、風速及び空気圧が増した位置から離すことができ、通気抵抗や騒音の増加を抑制することができる。
【００２７】
また、上記スライド式ドアが、上記複数の空気通路のうちのいずれかを略閉じる位置にあるときに、上記連結軸が、上記回転駆動部のうちの最も風速の遅い位置となるように設定されていてもよい（請求項５）。
【００２８】
フルクール時やフルホット時に、連結軸を、風速の遅い位置に配置することができ、通気抵抗や騒音の増加を抑制することができる。
【００２９】
また、上記連結軸を２本有し、上記スライド式ドアが、上記複数の空気通路のうちのいずれかを略閉じる位置にあるときに、一方の連結軸は、上記スライド式ドアに最も近接した位置となるように設定され、他方の連結軸は、上記スライド式ドアから最も離れた位置／あるいは最も風速が遅い位置となるように設定されていてもよい（請求項６）。
【００３０】
フルクール時やフルホット時に、連結軸を通気抵抗や騒音の増加を抑制した位置に配置しつつ、回転駆動部の剛性、特に回転方向に対する剛性を上げることができる。
【００３１】
また、上記連結軸は、断面形状が偏平であって、上記スライド式ドアが、上記複数の空気通路のうちのいずれかを略閉じる位置にあるときに、上記連結軸は、上記偏平の長手方向が、上記連結軸周囲の空気の流れ方向に沿うように配置されていることが好ましい（請求項７）。
【００３２】
フルクール時やフルホット時に、連結軸を通気抵抗や騒音の増加を抑制した位置に配置するだけでなく、より確実に通気抵抗や騒音の増加を抑制できる。
【００３３】
そして、上記スライド式ドアの下流に配置される加熱用熱交換器を備え、上記複数の空気通路は、上記加熱用熱交換器を通過する温風通路と上記加熱用交換器とをバイパスするバイパス通路である車両用空調装置に適用されることで（請求項８）、通気抵抗や騒音の増加を抑制する効果を得ることができる。
【発明の効果】
【００３４】
本発明によれば、車両用空調装置内の空気流分岐路に設置されるスライド式ドアの構造において、フルクール時やフルホット時に、通気抵抗や騒音の増加を、確実に防止することができるスライド式ドア機構を有する車両用空調装置を提供することができる。
【図面の簡単な説明】
【００３５】
【図１】本発明の第１の実施形態に係るスライド式ドア機構を備えた車両用空調装置の全体構成を説明するもので、車両用空調装置の左右方向の略中央部の断面を示す概略図である。
【図２】本発明の第１の実施形態に係るスライド式ドア機構を、空気流の上流から見たスライド式ドア機構の斜視図である。
【図３】本発明の第２の実施形態に係るスライド式ドア機構を備えた車両用空調装置の、フルクール時におけるスライド式ドア及び連結軸の配置並びに空気流を示す概略断面図である。
【図４】本発明の第２の実施形態に係るスライド式ドア機構を備えた車両用空調装置の、フルホット時におけるスライド式ドア及び連結軸の配置並びに空気流を示す概略断面図である。
【図５】本発明の第３の実施形態の第１例に係るスライド式ドア機構を備えた車両用空調装置の、フルクール時におけるスライド式ドア及び連結軸の配置を示す概略断面図である。
【図６】本発明の第３の実施形態の第２例に係るスライド式ドア機構に関し、スライド式ドアの掘り込み溝に連結軸が入り込む場合を説明するスライド式ドア機構の斜視図である。
【図７】本発明の第４の実施形態に係るスライド式ドア機構を備えた車両用空調装置の、フルクール時におけるスライド式ドア及び連結軸の配置を示す概略断面図である。
【図８】本発明の第４の実施形態に係るスライド式ドア機構を備えた車両用空調装置の、フルホット時におけるスライド式ドア及び連結軸の配置を示す概略断面図である。
【図９】本発明の第７の実施形態の第１例に係るスライド式ドア機構を備えた車両用空調装置の、フルクール時におけるスライド式ドア及び連結軸の配置を示す概略断面図である。
【図１０】本発明の第７の実施形態の第１例に係るスライド式ドア機構を備えた車両用空調装置の、フルホット時におけるスライド式ドア及び連結軸の配置を示す概略断面図である。
【図１１】本発明の第７の実施形態の第２例に係るスライド式ドア機構を備えた車両用空調装置の、フルクール時におけるスライド式ドア及び連結軸の配置を示す概略断面図である。
【図１２】従来のスライド式ドア機構を備えた車両用空調装置の全体構成を説明するもので、車両用空調装置の左右方向の略中央部の断面を示す概略図である。
【発明を実施するための形態】
【００３６】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００３７】
（第１の実施形態）
図１は、本発明の第１の実施形態に係るスライド式ドア機構を備えた車両用空調装置の全体構成を説明するもので、車両用空調装置の左右方向の略中央部の断面を示す概略図である。図１に示すように、本発明に係るスライド式ドア機構を備えた車両用空調装置１は、内部に複数の空気通路が形成されたケース２を備え、このケース２内に、冷却用熱交換器１１、スライド式ドア３、回転駆動部７、連結軸（連結シャフト）８、従動ギヤ９、加熱用熱交換器１２、デフロストドア２１、ベントドア２２、フットドア２３が所定の位置に配置されている。
【００３８】
ケース２は、ブロワファン（図示せず）から送られた空気を取り入れる空気取入口（図１のうち、左側の点線部分）と、温度調和された空気を吹出すデフロスト吹出し口１８、ベント吹き出し口１９、フット吹出し口２０とを有する。空気取入口からケース２に送られた空気は、冷却用熱交換器１１を通過したのち、加熱用熱交換器１２を通って、あるいは迂回して、混合室１５に至り、デフロストドア２１、ベントドア２２、フットドア２３の開閉に応じて、デフロスト吹出し口１８、ベント吹き出し口１９、フット吹出し口２０から吹き出される。
【００３９】
冷却用熱交換器１１は、公知の冷凍サイクル（図示せず）の一部として構成されるものであり、ブロワファンにより送風された空気と熱媒体との熱を交換することで、空気を冷却することができる。冷凍サイクルを作動しなければ、熱の交換をしないようにすることもできる。
【００４０】
加熱用熱交換器１２は、公知の暖房サイクル（図示せず）の一部として構成されるものであり、ブロワファンにより送風された空気と熱媒体との熱を交換することで、空気を加熱することができる。加熱用熱交換器１２は、冷却用熱交換器１１の下流側に配置されるものであり、この配置により、冷却用熱交換器１１で除湿された冷風を加熱することで、除湿暖房運転が可能となる。
【００４１】
また、加熱用熱交換器１２は、図１で示されるように、冷却用熱交換器１１の下流側の一部を覆うように配置される。この構成を備えることで、後述するスライド式ドア３の位置を適宜変更することにより、冷却用熱交換器１１を通過した空気を加熱する／加熱しないの制御が可能となる。なお、加熱用熱交換器１２は、暖房サイクルの一部としてではなく、電気発熱式として構成されるものであってもよい。
【００４２】
スライド式ドア３は、冷却用熱交換器１１と加熱用熱交換器１２との間に配置され、加熱用熱交換器１２の前面を閉塞する位置と、加熱用熱交換器１２を迂回する通路を閉塞する位置との間を、スライド移動可能に配置されている。スライド式ドア３には、後述するように、スライド式ドアの移動方向に沿って従動ギヤ９が設けられている。
【００４３】
図１では、スライド式ドア３が上方向の端にスライド移動した状態を示している。スライド式ドア３は、冷風通路１３内の空気が加熱用熱交換器１２へ向けて通流する第２通流開口１７を開き、冷風通路１３内の空気が加熱用熱交換器１２を迂回し通流する第１通流開口１６を閉塞している。加熱用熱交換器１２の下流側には温風流路１４が設けられており、加熱用熱交換器１２から流れ出た空気の流路となる。
【００４４】
一方、スライド式ドア３が下方向の端にスライド移動したとき（図示せず）は、スライド式ドア３は、第１通流開口１６を開き、第２通流開口１７を閉塞する。第１通流開口１６および温風通路１４の下流には混合室１５が設けられている。
【００４５】
次に車両用空調装置の動作について説明する。スライド式ドア３が上方にスライド移動して第１通流開口１６を閉鎖している状態を「フルホット」と称する。フルホットの際は、冷風通路１３を経た空気流は、第２通流開口１７、加熱用熱交換器１２、温風通路１４を経て、混合室１５に入る。
【００４６】
スライド式ドア３が下方にスライド移動して第２通流開口１７を閉鎖している状態を「フルクール」と称する。フルクールの際は、冷風通路１３を経た空気流は、第１通流開口１６を経て、混合室１５に入る。
【００４７】
スライド式ドア３が上下方向の略中央部にスライド移動して第２通流開口１７と第１通流開口１６とを閉塞しないとき、冷風通路１３を経た空気流は、二つの流路に分かれて流れる。すなわち、第２通流開口１７、加熱用熱交換器１２、温風通路１４を経て混合室１５に入る流路と、第１通流開口１６を経て混合室１５に入る流路とを流れる。
【００４８】
二つの空気流は、混合室１５で混合されて、デフロスト吹出し口１８、ベント吹出し口１９又はフット吹出し口２０へと流れる。デフロスト吹出し口１８にはデフロストドア２１、ベント吹出し口１９にはベントドア２２、フット吹出し口２０にはフットドア２３が設置されている。それぞれのドアは、車室からの操作によって、あるいは周知の空調自動制御装置によって開閉状態が決められ、空気流の流量が調整される。
【００４９】
図２は、本発明の第１の実施形態に係るスライド式ドア機構を、空気流の上流から見たときのスライド式ドア機構の斜視図である。同図に示すように、本実施形態に係るスライド式ドア機構は、２つの回転駆動部７、連結軸８、２つの回転軸１０を有する駆動部６と、スライド式ドア３とを備えている。２つの回転駆動部７はそれぞれ連結軸８と接合され、連結軸８が接合する面の反対側の面には、中心に回転軸１０が設けられている。また、回転駆動部７は、外周に駆動ギヤ５が設けられている。駆動部６は、ケース２などにより回転軸１０が回転可能に支持されることで、回転可能となっている。連結軸８の軸方向は、回転軸１０の軸方向と略並行となるように設定されている。スライド式ドア３は、ケース２などにスライド可能に支持されており、両サイドには、スライド方向に沿って従動ギヤ９が設けられている。そして駆動部６の駆動ギヤ５とスライド式ドア３の従動ギヤ９とは噛み合っており、駆動部６の回転軸１０が外部動力によって回転駆動されることで、スライド式ドア３を任意の位置にスライド移動することができる。
【００５０】
図２においては円形の回転駆動部７は、２つ示されているがそれ以上であってもよい。また、このスライド式ドア３は、平板形状として記載しているが、連結軸８に向かう方向に又は連結軸８に反返る方向にわん曲していてもよい。また、従動ギヤ９は、スライド式ドア３に一体的に形成されても、別体として形成された後に取り付けられるものであってもよい。
【００５１】
本実施形態に係るスライド式ドア機構は、略円形の回転駆動部７と連結軸８とが接合する位置に特徴を有する。図２に示すように本実施形態に係るスライド式ドア機構の連結軸８は、回転駆動部７の回転中心２６に対し、偏った位置（偏芯位置）２７において、回転駆動部７と接合している。すなわち、同図に破線で示される回転駆動部７の回転中心２６同士を連結した位置に対し、回転駆動部７の外周側にて接合する。この構造により、連結軸８は、駆動部６の回転動作に応じて、スライド式ドア３からの距離を自在に変更することが可能となる。
【００５２】
（第２の実施形態）
本発明の第２の実施形態に係るスライド式ドア機構を備えた車両用空調装置について、説明する。本実施形態に係る連結軸８は、回転駆動部７の偏芯位置２７において、回転駆動部２７と接合する。さらに連結軸８は、フルクール時及び／又はフルホット時に、スライド式ドア３に最も近接する位置となるよう設定されている。
【００５３】
図３は、本発明の第２の実施形態に係るスライド式ドア機構を備えた車両用空調装置の、フルクール時におけるスライド式ドア及び連結軸の配置並びに空気流を示す概略断面図である。同図に示すスライド式ドア３は、第１通流開口１６を開き、第２通流開口１７を閉塞するようにスライド移動しており、相対的に駆動部６の下方に位置している。連結軸８は、スライド式ドア３に最も近接する位置にある。
【００５４】
冷却用熱交換器１１を通過した空気流は、図３の矢印（細い矢印および太い矢印）にて示されている。冷却用熱交換器１１を通過した空気流のうち、スライド式ドア３よりも上方から流出した空気は、第１通流開口１６に向かって直進し、混合室１５へと流れる。一方、スライド式ドア３と同じ高さから流出した空気は、スライド式ドア３に向かって流れつつ、流出口を求めて流れの方向を上方に向けて変更し、第１通流開口１６を経由して、混合室１５へと流れる。冷却用熱交換器１１から流出した直後の空間では、空気流の圧力は低く風速も遅いが（細い矢印）、流れの方向が変更する空間では、圧力は高く風速も早い（太い矢印）。
【００５５】
ここで、本実施形態の連結軸８は、回転駆動部７の中心から偏芯した位置で、かつスライド式ドア３に最も近接する位置にある。このように、空気の圧力や風速が高まっている空間に位置しないので、スライドドア機構に由来する通気抵抗の上昇や騒音の増大を、効果的に抑制することができる。
【００５６】
図４は、本発明の一実施形態に係るスライド式ドア機構を備えた車両用空調装置の、フルホット時におけるスライド式ドア及び連結軸の配置並びに空気流を示す概略断面図である。同図に示すスライド式ドア３は、第１通流開口１６を閉塞し、第２通流開口１７を開くようにスライド移動しており、相対的に駆動部６の上方に位置している。連結軸８は、スライド式ドア３に最も近接する位置にある。
【００５７】
冷却用熱交換器１１を通過した空気流は、図４の矢印（細い矢印および太い矢印）にて示されている。冷却用熱交換器１１を通過した空気流のうち、スライド式ドア３よりも下方から流出した空気は、第２通流開口１７に向かって直進し、加熱用熱交換器１２、温風通路１４を経て、混合室１５へと流れる。一方、スライド式ドア３と同じ高さから流出した空気は、スライド式ドア３に向かって直進した後、流出口を求めて流れの方向を下方に向けて変更し、第２通流開口１７、加熱用熱交換器１２、温風通路１４を経由して、混合室１５へと流れる。冷却用熱交換器１１から流出した直後の空間では、空気流の圧力は低く風速も遅いが（細い矢印）、流れの方向が変更する空間では、圧力は高く風速も早い（太い矢印）。
【００５８】
ここで、本実施形態の連結軸８は、回転駆動部７の中心から返信した位置で、かつスライド式ドア３に最も近接する位置にある。このように、空気の圧力や風速が高まっている空間に位置しないので、スライドドア機構に由来する通気抵抗の上昇や騒音の増大を、効果的に抑制することができる。
【００５９】
第１の実施形態及び／又は第２の実施形態のように、フルクール時又はフルホット時に、スライド式ドア３に対する連結軸８の距離を適切な位置とすることは、駆動ギヤ５及び従動ギヤ９のギヤピッチと、スライド式ドア３の移動距離とを適宜検討し、設定することで実現できる。
【００６０】
（第３の実施形態）
本発明の第３の実施形態に係るスライド式ドア機構を備えた車両用空調装置について、説明する。本実施形態に係る連結軸８は、回転駆動部７の偏芯位置２７において、回転駆動部２７と接合する。さらに連結軸８は、フルクール時及び／又はフルホット時に、スライド式ドア３に最も近接する位置となるよう設定されている。さらに連結軸８は、スライド式ドア３の上流側表面に形成された掘り込み溝２４に収容されるよう設定されている。
【００６１】
図５は、本発明の第３の実施形態の第１例に係るスライド式ドア機構を備えた車両用空調装置の、フルホット時におけるスライド式ドア及び連結軸の配置並びに空気流を示す概略断面図である。同図に示すスライド式ドア３は、第１通流開口１６を開き、第２通流開口１７を閉塞するようにスライド移動しており、相対的に駆動部６の下方に位置している。スライド式ドア３の空気流の上流側表面かつ上側には、掘り込み溝２４が、連結軸８の軸方向に沿って形成されている。
【００６２】
ここで、本実施形態の連結軸８が、掘り込み溝２４に収容される動作を説明する。フルクール状態となる直前では、回転駆動部７は駆動部６の回転に伴って回転し、連結軸８はスライド式ドア３に徐々に近づく。スライド式ドア３は、駆動部の回転に伴って下方向に移動する。そしてフルクール状態となったとき、掘り込み溝は上下方向における所定の位置に到達し、連結軸８は掘り込み溝２４の最も深い部分に位置する。このようにして連結軸８は、掘り込み溝２４に収容される。
【００６３】
フルクール時における空気流は、図３の太い矢印で示したように、流れの方向が変更する空間で、圧力が高く風速も早い。しかし、本実施形態の連結軸８は、スライド式ドア３に設けられた掘り込み溝２４に収容されているので、連結軸８が空気の流れる空間に露出しておらず、スライドドア機構に由来する通気抵抗の上昇や騒音の増大を効果的に抑制することができる。      
【００６４】
本実施形態に係るスライド式ドア機構は、フルホット時においても、連結軸８が、スライド式ドア３の上流側表面に形成された掘り込み溝２４に収容されるよう設定されている。フルホット時の図は省略する。
【００６５】
フルホット時にスライド式ドア３は、第１通流開口１６を閉塞し、第２通流開口１７を開くようにスライド移動しており、相対的に駆動部６の上方に位置している。スライド式ドア３の空気流の上流側表面かつ下側には、掘り込み溝２４が、連結軸８の軸方向に沿って形成されている。
【００６６】
ここで、本実施形態の連結軸８が、掘り込み溝２４に収容される動作を説明する。フルホット状態となる直前では、回転駆動部７は駆動部６の回転に伴って回転し、連結軸８はスライド式ドア３に徐々に近づく。スライド式ドア３は、駆動部の回転に伴って上方向に移動する。そしてフルホット状態となったとき、掘り込み溝は上下方向における所定の位置に到達し、連結軸８は掘り込み溝２４の最も深い部分に位置する。このようにして連結軸８は、掘り込み溝２４に収容される。
【００６７】
フルホット時における空気流は、図４の太い矢印で示したように、流れの方向が変更する空間で、圧力が高く風速も早い。しかし、本実施形態の連結軸８は、スライド式ドア３に設けられた掘り込み溝２４に収容されているので、連結軸８が空気の流れる空間に露出しておらず、スライドドア機構に由来する通気抵抗の上昇や騒音の増大を効果的に抑制することができる。
【００６８】
次に、本実施形態に係るスライド式ドア機構の第２例として、フルクール時及び／又はフルホット時における実施例を、図６を用いて説明する。
【００６９】
図６は、本発明の第３の実施形態の第２例に係るスライド式ドア機構に関し、スライド式ドアの掘り込み溝２４に連結軸８が入り込む場合を説明するスライド式ドア機構の斜視図である。ドア機構の上部を、空気流の上流側から示したものである。
【００７０】
同図に示すように、スライド式ドア３の上流側表面の上部側には、略半楕円形状の掘り込み溝２４が形成されている。また、図示していないが、スライド式ドア３の上流側表面の下部側にも、同様に掘り込み溝２４が形成されている。回転駆動部７の側面に設置された駆動ギヤ５は、回転駆動部７の直径より若干小さな直径を有する。
【００７１】
連結軸８は、回転駆動部７の回転中心２６に対し、偏った位置（偏芯位置）で、且つ駆動ギヤ５の直径より外側外周位置において、回転駆動部７と接合している。フルクール時は、連結軸８は、スライド式ドア３の上部側表面に形成された掘り込み溝２４の内部に入り込む位置となる（掘り込み溝２４に収容される）。フルホット時は、連結軸８は、スライド式ドア３の下部側表面に形成された掘り込み溝２４の内部に入り込む位置となる（掘り込み溝２４に収容される）。このように、駆動ギヤ５よりも回転駆動部７の直径が大きく、連結軸８を駆動ギヤ５より外側外周位置において回転駆動部７と接合することで、連結軸８を、より深くスライド式ドア３の掘り込み溝２４に収容できるので、スライドドア機構に由来する通気抵抗の上昇や騒音の増大を、効果的に抑制することができる。
【００７２】
フルクール時又はフルホット時に、連結軸８が、スライド式ドア３の掘り込み溝２４に入り込む（収容される）位置となるよう設定することは、駆動ギヤ５及び従動ギヤ９のギヤピッチと、スライド式ドア３の移動距離とを適宜検討し、設定することで実現できる。
【００７３】
（第４の実施形態）
本発明の第４の実施形態に係るスライド式ドア機構を備えた車両用空調装置について、説明する。本実施形態に係る連結軸８は、回転駆動部７の偏芯位置２７において、回転駆動部２７と接合する。さらに連結軸８は、フルクール時及び／又はフルホット時に、スライド式ドア３から最も離れた位置となるよう設定されている。
【００７４】
図７は、本発明の第４の実施形態に係るスライド式ドア機構を備えた車両用空調装置の、フルクール時におけるスライド式ドア及び連結軸の配置を示す概略断面図である。同図に示すスライド式ドア３は、第１通流開口１６を開き、第２通流開口１７を閉塞するようにスライド移動しており、相対的に駆動部６の下方に位置している。連結軸８は、スライド式ドア３から最も離れた位置にある。
【００７５】
フルクール時における空気流は、図３の太い矢印で示したように、流れの方向が変更する空間で、圧力が高く風速も早い。しかし、本実施形態の連結軸８は、回転駆動部７の中心から返信した位置で、かつスライド式ドア３から最も離れた位置にある。このように、空気の圧力や風速が高まっている空間に位置しないので、スライドドア機構に由来する通気抵抗の上昇や騒音の増大を、効果的に抑制することができる。
【００７６】
図８は、本発明の第４の実施形態に係るスライド式ドア機構を備えた車両用空調装置の、フルホット時におけるスライド式ドア及び連結軸の配置を示す概略断面図である。同図に示すスライド式ドア３は、第１通流開口１６を閉塞し、第２通流開口１７を開くようにスライド移動しており、相対的に駆動部６の上方に位置している。連結軸８は、スライド式ドア３から最も離れた位置にある。
【００７７】
フルホット時における空気流は、図４の太い矢印で示したように、流れの方向が変更する空間で、圧力が高く風速も早い。しかし、本実施形態の連結軸８は、回転駆動部７の中心から偏芯した位置で、かつスライド式ドア３から最も離れた位置にある。このように、空気の圧力や風速が高まっている空間に位置しないので、スライドドア機構に由来する通気抵抗の上昇や騒音の増大を、効果的に抑制することができる。
【００７８】
（第５の実施形態）
本発明の第５の実施形態に係るスライド式ドア機構を備えた車両用空調装置について、説明する。本実施形態に係る連結軸８は、回転駆動部７の偏芯位置２７において、回転駆動部２７と接合する。さらに連結軸８は、フルクール時及び／又はフルホット時に、前記回転駆動部７のうち最も風速の遅い位置となるよう設定されている。説明図は省略する。
【００７９】
車両用空調装置は前述したように小型化が求められており、小さなケースの内側には複数の空気通流路を有し、ここに冷却用熱交換器、加熱用熱交換器等の機能機器や、本発明に係るスライド式ドアなどの機構が配置設定されている。空気通流路の流速や空気圧は、空気通流路の構造や各種の機能機器等の大きさ・構造・形状・配置場所、又はスライド式ドアの全体形状等に応じて場所によって大きく変化することが一般的となっている。このため、フルクール時及び／又はフルホット時に、空気の流速及び空気圧が最も小さくなる位置は、上記第４の実施形態において説明したようなスライド式ドアから最も離れた位置とならない場合がある。
【００８０】
車両用空調装置のケース内の流速は、気流解析シミュレーションによって予想することができる。フルクール時及び／又はフルホット時に流速及び空気圧が最も小さくなる位置を気流解析シミュレーションで確認することによって、連結軸の位置を設定することができる。例えば、フルクール時及び／又はフルホット時に流速及び空気圧が最も小さくなる位置が、スライド式ドアから最も離れた位置から外れた位置になった場合は、その位置に連結軸が配置されるように駆動ギヤと従動ギヤを設定すればよい。
【００８１】
（第６の実施形態）
本発明の第６の実施形態に係るスライド式ドア機構を備えた車両用空調装置について、説明する。本実施形態に係る駆動部６は、回転駆動部７の偏芯位置２７において接合する、２本の連結軸８、８を有する。この２本の連結軸８、８は、フルクール時及び／又はフルホット時に、一方の連結軸は、前記スライド式ドア３に最も近接した位置となるように設定され、他方の連結軸は、前記スライド式ドア３から最も離れた位置、あるいは最も風速が遅い位置となるように設定されている。図は省略する。
【００８２】
連結軸８が回転駆動部７の回転中心から偏芯した位置に連結している構成では、連結軸８が回転中心に位置している構成と比べて、駆動部６の外部から一方の回転軸１０に回転力が与えられたとき、連結軸８に回転力を伝達するために、余分なモーメント力が必要となる。また逆回転方向への捩れ応力も発生する。本発明の第６の実施形態に係るスライド式ドア機構は、駆動部６が２本の連結軸８、８を有し、それぞれの連結軸８が、回転駆動部７の回転中心から略対称の偏芯位置にあって、回転駆動部７と接合されている。よって、２本の連結軸８、８は、余分なモーメント力への耐力を増し、与えられた回転力を効率よく伝達することができる。
【００８３】
そして、フルクール時及び／又はフルホット時に、一方の連結軸は、スライド式ドアに最も近接した位置となるように設定され、他方の連結軸は、前記スライド式ドアから最も離れた位置となるように設定されている。よって、上記第２の実施形態及び第４の実施形態で説明したように、２本の連結軸は、両方とも空気の圧力や風速が高まっている空間に位置しないので、スライドドア機構に由来する通気抵抗の上昇や騒音の増大を、効果的に抑制することができる。
【００８４】
また、フルクール時及び／又はフルホット時に、スライド式ドアに最も近接した位置となるように設定された連結軸は、上記第３の実施形態で説明したように、スライド式ドアの掘り込み溝に入り込み位置に設定されるようにしてもよい。
【００８５】
また同様に、フルクール時及び／又はフルホット時に、スライド式ドアから最も離れた位置となるように設定された連結軸は、上記第５の実施形態で説明したように、気流解析シミュレーションによって導き出される空気流の流速及び空気圧が最も小さくなる位置に設定されるようにしてもよい。２本の連結軸は、両方とも空気の圧力や風速が高まっている空間に位置しないので、スライドドア機構に由来する通気抵抗の上昇や騒音の増大を、効果的に抑制することができる。
【００８６】
（第７の実施形態）
本発明の第７の実施形態に係るスライド式ドア機構を備えた車両用空調装置について、説明する。本実施形態に係る駆動部６は、回転駆動部７の偏芯位置２７において、回転駆動部２７と接合する。さらに連結軸８は、スライド式ドア３の上流側表面に形成された掘り込み溝２４に収容されるよう設定されている。
【００８７】
図９は、第７の実施形態の第１例に係るスライド式ドア機構を備えた車両用空調装置の、フルクール時におけるスライド式ドア及び連結軸の配置を示す概略断面図である。同図に示すスライド式ドア３は、第１通流開口１６を開き、第２通流開口１７を閉塞するようにスライド移動しており、相対的に駆動部６の下方に位置している。
【００８８】
同図に示すように、連結軸８は、略偏平な断面形状のうち長手方向が空気流に沿うような状態に設定されている。連結軸８は、スライド式ドア３に近接する位置に設定された場合、又はスライド式ドア３から最も離れた位置に設定された場合、並びに最も風速が遅い位置に設定された場合のいずれであっても、略偏平形状の長手方向が空気流に沿うように設定される。
【００８９】
図１１は、第７の実施形態の第２例に係るスライド式ドア機構を備えた車両用空調装置の、フルクール時におけるスライド式ドア及び連結軸の配置を示す概略断面図である。
【００９０】
同図に示すように、フルクール時に略偏平形状である連結軸８が、スライド式ドア３の上部側の表面に形成された掘り込み溝２４の内部に入り込む（収容される）ように設定されていてもよい。この場合、連結軸８の略偏平形状は、掘り込み溝２４の形状に近似しており、最も通気抵抗を減じた構造であると言える。
【００９１】
連結軸８は、空気の圧力や風速が高まっている空間に位置しないうえ、断面形状が略偏平形状であり、その長手方向が空気流に沿うように設定されるので、スライドドア機構に由来する通気抵抗の上昇や騒音の増大を、効果的に著しく抑制することができる。
【００９２】
図１０は、本発明の第７の実施形態の第１例に係るスライド式ドア機構を備えた車両用空調装置の、フルホット時におけるスライド式ドア及び連結軸の配置を示す概略断面図である。同図に示すスライド式ドア３は、第１通流開口１６を閉塞し、第２通流開口１７を開くようにスライド移動しており、相対的に駆動部６の上方に位置している。
【００９３】
同図に示すように、連結軸８は、略偏平な断面形状のうち長手方向が空気流に沿うような状態に設定されている。連結軸８は、スライド式ドア３に近接する位置に設定された場合、又はスライド式ドア３から最も離れた位置に設定された場合、並びに最も風速が遅い位置に設定された場合のいずれであっても、略偏平形状の長手方向が空気流に沿うように設定される。
【００９４】
さらにフルホット時において、略偏平形状である連結軸８が、スライド式ドア３の下部側の表面に形成された掘り込み溝２４の内部に入り込む（収容される）ように設定されていてもよい。
【００９５】
また、上記第６の実施形態のように２本の連結軸が、フルクール時及び／又はフルホット時に、一方の連結軸がスライド式ドアに最も近接した位置となるように設定され、他方の連結軸がスライド式ドアから最も離れた位置又は最も風速が遅い位置となるように設定されている場合に、連結軸８の断面形状を略偏平形状とし、その長手方向が空気流に沿うような状態で設定してもよい。第６の実施形態において説明した効果に加えて、スライドドア機構に由来する通気抵抗の上昇や騒音の増大を、効果的に著しく抑制することができる。
【００９６】
以上、本発明の第１乃至第７の実施形態に係るスライド式ドア機構を備えた車両用空調装置のスライド式ドアについて説明した。駆動部６の長手方向のうち、連結軸８の占める割合が多く、回転軸１０の占める割合が少ないほど、本発明の効果が得やすくなる。
【００９７】
ところで、以上までの実施形態の説明は、全てフルクール時及び／又はフルホット時におけるスライド式ドア機構の構造・形態についての説明である。つまり、冷風通路から温風通路を経て混合室へ向かう空気通路と冷風通路から直接混合室に向かう空気通路との２つの空気通路を開閉調整する機能としての本発明の係るスライド式ドアについての説明である。
【００９８】
しかし、図１に示したように、車両用空調装置の内部構造の中には、デフロスト吹出し口１８、ベント吹出し口１９、フット吹出し口２０など多数の空気流分割口が存在している。また車両用空調機の空気流調整の種類は、温度調節や湿度調整の他に風向調整や風量調整、外内気調整等様々な調整がある。よって、これら様々な空気流調整のためには、各吹出し口等を含めたすべての空気通路の分枝開口部において開閉調節が必要とされる場合がある。
【００９９】
例えば、混合室１５において調整された空気流をデフロスト吹出し口１８とベント吹出し口１９とに分割したり又は一方に限定したりする調整においても、本発明の実施形態のひとつであるスライド式ドア３の活用が可能である。この場合は、上記スライド式ドア機構を、デフロスト吹出し口１８とベント吹出し口１９との開口部に交差して設置すればよい。各構造及び機能は、上記の実施形態１乃至７と同様であることは言うまでもない。
【０１００】
つまり本発明に係るスライド式ドア機構を備えた車両用空調装置のスライド式ドアは、冷風通路から温風通路を経て混合室へ向かう空気通路と冷風通路から直接混合室に向かう空気通路との２つの空気通路を開閉調整する機能のみに限定されない。本発明に係るスライド式ドア機構を備えた車両用空調装置のスライド式ドアは、空調装置内部に有する多数の空気流分割口において各空気流路の開口割合を調節するためのスライド式ドアとしても適用できるものであり、いずれの形態も本技術思想の範囲内のものである。
【０１０１】
さらに、本発明の一実施形態に係るスライド式ドアを備えた車両用空調装置のスライド式ドアの形状は、平板形状を前提に図等に記載したが、例えば連結軸に向かう方向に又は連結軸に反返る方向にわん曲していてもよく、空気流を２方向に分割する複数の空気流開口を有効に閉鎖または開口できる形状であればよいことは言うまでもない。これらはすべて、本発明の技術思想の一部である。
【産業上の利用可能性】
【０１０２】
上述したように、本願に係る発明によれば、通気抵抗や騒音の増加を、確実に防止することができる車両用空調装置を提供することができる。
【０１０３】
本発明は、車両用の空調装置に係るあらゆる素材、部品、金型及び製造産業に対しても影響を及ぼし、自動車産業だけではなく広く一般消費者に対しても大きな有益性をもたらすものである。産業の利用可能性は非常に高い。
【符号の説明】
【０１０４】
１    車両用空調装置
２    ケース
３    スライド式ドア
５    駆動ギヤ
６    駆動部
７    回転駆動部
８    連結軸（連結シャフト）
９    従動ギヤ
１０  回転軸
１１  冷却用熱交換器
１２  加熱用熱交換器
１３  冷風通路
１４  温風通路
１５  混合室
１６  第１通流開口
１７  第２通流開口
１８  デフロスト吹出し口
１９  ベント吹出し口
２０  フット吹出し口
２１  デフロストドア
２２  ベントドア
２３  フットドア
２４  掘り込み溝
２６  回転中心
２７  偏芯位置
【図１】
2015112890.tif 000003
【図２】
2015112890.tif 000004
【図３】
2015112890.tif 000005
【図４】
2015112890.tif 000006
【図５】
2015112890.tif 000007
【図６】
2015112890.tif 000008
【図７】
2015112890.tif 000009
【図８】
2015112890.tif 000010
【図９】
2015112890.tif 000011
【図１０】
2015112890.tif 000012
【図１１】
2015112890.tif 000013
【図１２】
2015112890.tif 000014